(57)【特許請求の範囲】
【請求項１】
一重の封筒状の合成樹脂製の爆薬用包装袋であって、平たく畳んだ状態における一方の端末を、爆薬を充填して爆薬薬包としたときに包装袋の角が薬包径からはみださないように斜めか円弧状に成型し、次いで余白を残してヒートシールすることにより、該端末を封じたことを特徴とする粒状又は粉状の爆薬用包装袋
【請求項２】
請求項１に記載の爆薬用包装袋に爆薬を充填したことを特徴とする爆薬薬包
【請求項３】
爆薬が粒状である請求項２記載の爆薬薬包
【発明の詳細な説明】
【０００１】
【発明の属する技術分野】
本発明は採石、採鉱、採炭、隧道掘進等の産業用爆破用途に広く利用される爆薬用包装袋及びそれに爆薬を充填した爆薬薬包に関するものである。
【０００２】
【従来の技術】
産業用爆破作業に用いられる爆薬としては、ダイナマイト、含水爆薬、硝安油剤爆薬（以下ＡＮＦＯ爆薬と呼ぶ）、硝安爆薬などがよく知られている。これらのうち、粒状及び粉状の硝酸アンモニウム（以下硝安と呼ぶ）を用いたＡＮＦＯ爆薬、硝安爆薬などの耐水性のない爆破剤を、水の存在するボアホールに直接流し込んで使用する場合には、それらの成分である硝安が容易に溶解するために鈍感化して爆発しなくなる。このため、そのような耐水性のない爆薬については、紙製爆薬用包装袋にパラフィンコーティング処置をして耐水性を保たせるか、プラスチックのポリ筒や例えば、ＡＮＦＯ爆薬のピースもののように予め耐水性のある合成樹脂製の包装袋に充填した後に使用する方法が取られている。
【０００３】
【発明が解決しようとする課題】
上記の方法のうちプラスチック製のポリ筒容器に爆薬を充填したものは、容器が高価で、比較的硬いために、採石場や石灰山で使用される場合、発破時に完全に燃焼できずに、発破後のズリの中に容器の破片が含まれ、ズリの中から不純物となるこれらの破片を回収しなくてはならなくなる。これに対し、合成樹脂製の包装袋は、安価で経済的である反面、末端部が方形のものをヒートシールしているため、爆薬を充填した際に末端部が本来の爆薬包の径よりも外側に突き出てしまう。このため、使用現場においては爆薬薬包が、ボアホール壁によって薬包が傷ついて破損しないようにするために、ボアホール径を薬包径よりも大きめに設計し、慎重に装薬を行う必要がある。しかしこの方法では薬包とボアホールの間に大きな隙間が生じて、爆薬の爆発効果を十分に岩盤に伝えられず、発破効果が現れにくくなってしまう。従って、予め薬包の突き出た部分を内側に折り曲げてテープで止めて爆薬薬包とする方法もあるが、この方法は作業工程が増え、製造上の作業効率が悪くなるため実用的でない。
【０００４】
このため、安価でかつ簡便な方法でかつ現場での作業を効率的に行う手段が求められていた。
【０００５】
【課題を解決するための手段】
本発明者等は、上記の状況を充分考察し、鋭意研究の結果、爆薬用の薬包袋の一方の端末を予め凸状に成型した爆薬用包装袋を使用することで、上記の問題を解決できることを見いだしたものである。
【０００６】
即ち、本発明は
（１）一重の封筒状の合成樹脂製の爆薬用包装袋であって、平たく畳んだ状態における一方の端末を、爆薬を充填して爆薬薬包としたときに包装袋の角が薬包径からはみださないように斜めか円弧状に成型し、次いで余白を残してヒートシールすることにより、該端末を封じたことを特徴とする粒状又は粉状の爆薬用包装袋
（２）前項（１）に記載の爆薬用包装袋に爆薬を充填したことを特徴とする爆薬薬包
（３）爆薬が粒状である前項（２）記載の爆薬薬包
に関する。
【０００７】
【発明の実施の形態】
以下、本発明を詳細に説明する。
本発明者等は、爆薬用薬包袋の一方の端末を凸状に成型し、合わせてヒートシール部の形を凸状に変更することにより、該包装袋に爆薬を充填した際に、薬包径に対して外側に突出した部分をなくし、従来より爆薬の装薬作業をスムーズに行うことができるようにしたものである。
【０００８】
本発明に用いられる爆薬用薬包袋の材質としては、ポリエチレン、ポリプロピレン、ナイロン等の合成樹脂を単独またはこれらを組み合わせて使用することができる。また、さらにこれらを常法により処理して、帯電防止性とすればさらに望ましい。
【０００９】
本発明に用いられる爆薬用薬包袋は厚み、大きさに特に制限はないが、通常厚さ０．０５〜０．１５ｍｍ、幅３０〜１１０ｍｍ、長さ１００〜１０００ｍｍの範囲のものが使用されるが、使用する爆薬の限界薬径や、ボアホールの径を考慮した大きさのものが望ましい。
【００１０】
本発明の爆薬用包装袋は長方形型の薬包袋の一方の端末部分を凸状に成型し、円弧状又は凸状にヒートシールして製造される。このときの形状は包装袋に爆薬を充填して爆薬薬包としたときに包装袋の角が薬包径からはみ出さないように、通常斜めか円弧状に成型されるが、円弧状かこれに近い形であることが好ましい。さらに余白を残してヒートシールされるが、このヒートシールによる余白部分は１〜３０ｍｍ程度が好ましく、１〜１５ｍｍ程度がより好ましい。
【００１１】
本発明の爆薬用包装袋に装填される爆薬としては、通常の爆薬ならいかなる爆薬であっても良く、本発明の爆薬用包装袋に装填可能な爆薬の具体例としては、粉状ダイナマイト、ＡＮＦＯ爆薬、硝安爆薬等が挙げられ、本発明の爆薬用包装袋は、これらの爆薬のうち粒状又は粉状の爆薬用の包装袋として使用される。爆薬が粒状の場合、その平均粒径は通常０．２〜５ｍｍであり、又粉状の場合、その平均粒径は通常０．０１〜０．５ｍｍである。
【００１２】
本発明の爆薬薬包では、空間が多すぎると爆薬が伝爆しづらくなり、爆薬性能が低下するため、爆薬薬包内の空間ができるだけ少なくなるように充填する方が望ましい。
【００１３】
本発明の爆薬薬包の上部における封は、輪ゴム、クリップ、糸、ひも、針金等、袋を封する材質ならば、どのようなものでも用いることが出来るが、本発明の包装袋に耐水性のない爆薬を充填する場合には爆薬薬包に水が侵入しないように封することが望ましい。
【００１４】
本発明の爆薬薬包は、薬包径よりはみ出す部分を省いた為、使用現場における装薬作業をスムーズに行うことができ、かつ爆薬薬包の破損を少なくすることができる。さらに筒部が爆薬薬包の径からはみ出すことがないため、爆薬薬包とボアホールの径の間の隙間を小さくすることができ、これにより爆発効果を大きくすることが可能である。
【００１５】
【実施例】
本発明を図面に示す実施例に従って、さらに詳しく説明するが、本発明がこれらの実施例のみに限定されるものではない。
【００１６】
実施例１
厚さ０．０８ｍｍ、幅８０ｍｍ、長さ６００ｍｍの封筒状のナイロンフィルム製の薬包袋の一方の端末部を図１に示すように円弧状にヒートシールし、本願発明の爆薬用包装袋を得た（図１）。この包装袋に約７５０ｇの粒状ＡＮＦＯ爆薬（平均粒径１．２ｍｍ）を充填し、袋の上部を金属製のクリップで封することにより本願発明の爆薬薬包を得た（図２）。
【００１７】
実施例２
厚さ０．０８ｍｍ、幅８０ｍｍ、長さ６００ｍｍの封筒状のポリエチレンフィルム製の薬包袋の一方の端末部を実施例１と同様にヒートシールして爆薬用包装袋を得た。この包装袋に約７５０ｇの粒状硝安爆薬を充填し、実施例１と同様にして爆薬薬包を得た。
【００１８】
実施例３
厚さ０．１０ｍｍ、幅８０ｍｍ、長さ４００ｍｍの封筒状のポリエチレンフィルム製の薬包袋の一方の端末部を図３に示すように凸状にヒートシールして爆薬用包装袋を得た。この包装袋に約７５０ｇの粉状ダイナマイトを充填し、袋の上部を輪ゴムで縛って封することにより爆薬薬包を得た（図４）。
【００１９】
比較例１
厚さ０．０８ｍｍ、幅８０ｍｍ、長さ６００ｍｍの封筒状のナイロンフィルム製の薬包袋の一方の端末部を図５に示すようにヒートシールし、爆薬用包装袋を得た。この包装袋に約７５０ｇの粒状ＡＮＦＯ爆薬（平均粒径１．２ｍｍ）を充填し、実施例１と同様にして爆薬薬包を得た。（図６）。
【００２０】
比較例２
厚さ０．１０ｍｍ、幅８０ｍｍ、長さ４００ｍｍの封筒状のポリエチレンフィルム製の薬包袋の一方の端末部を図５に示すようにヒートシールし、爆薬用包装袋を得た。この包装袋に約７５０ｇの粉状ダイナマイトを装薬し、実施例１と同様にして爆薬薬包を得た。（図６）
【００２１】
実施例１、２、３及び比較例１、２の爆薬薬包を５０本ずつ作成し、採石場にて７０ｍｍの径、５ｍの横孔の装薬孔１０孔に５本ずつ二人で装薬する作業を実際に行い、作業時間を測定した。また、一度装薬した薬包を装薬孔から取り出して、このうち何本の爆薬薬包が破れたかを調べた。結果を表１に示す。
【００２２】
【表１】
0003630193.tif 000002
【００２３】
実施例１、２、３と比較例１、２の装薬作業時間と破れた爆薬薬包の数を比較すると、本発明の爆薬薬包を用いた場合の方が迅速かつ破損させず確実に装薬できる事が明白である。
【００２４】
【発明の効果】
本発明による爆薬薬包を用いると、従来と同様に安価で簡便な方法のままで、現場での作業を効率的かつ爆薬薬包の破れを少なく装薬する事ができる。このため発破現場での作業を能率良く行う事ができる。
【図面の簡単な説明】
【図１】本発明の爆薬用包装袋の１例で、実施例１の説明図である。
【図２】本発明の爆薬薬包の１例で、実施例１の説明図である。
【図３】本発明の爆薬用包装袋の１例で、実施例３の説明図である。
【図４】本発明の爆薬薬包の１例で、実施例３の説明図である。
【図５】比較例１の爆薬用包装袋の説明図である。
【図６】比較例１の爆薬薬包の説明図である。
【符号の説明】
１．爆薬用包装袋
２．ヒ−トシール部
３．ＡＮＦＯ爆薬
４．金属製クリップ
５．輪ゴム
６．粉状ダイナマイト
【図１】
0003630193.tif 000003
【図２】
0003630193.tif 000004
【図３】
0003630193.tif 000005
【図４】
0003630193.tif 000006
【図５】
0003630193.tif 000007
【図６】
0003630193.tif 000008